【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
複数のコンポーネントキャリア（ＣＣ）を備えるキャリアアグリゲーション（ＣＡ）構成を受信すること、前記ＣＡ構成は、前記複数のＣＣを、第１の制御チャネル制限に関連付けられた、第１の組の１つまたは複数のコンポーネントキャリア（ＣＣ）と、前記第１の制御チャネル制限とは異なる第２の制御チャネル制限に関連付けられた、第２の組の１つまたは複数のＣＣとにグループ化し、前記第１の制御チャネル制限もしくは前記第２の制御チャネル制限、またはその両方は、復号候補制限を備える、と、
前記第１の制御チャネル制限に従って前記第１の組の１つまたは複数のＣＣの制御チャネルをモニタすることと、
前記第２の制御チャネル制限に従って前記第２の組の１つまたは複数のＣＣの制御チャネルをモニタすることと
を備え、前記第１の制御チャネル制限もしくは前記第２の制御チャネル制限のうちの少なくとも１つは、制限されたデータ割振りを備え、
前記第１の組の１つまたは複数のＣＣの前記制御チャネルまたは前記第２の組の１つまたは複数のＣＣの前記制御チャネルをモニタすることは、前記制限されたデータ割振りに関連付けられた仮想ＣＲＣに少なくとも部分的に基づいて制御チャネルメッセージを復号することを備える、方法。
【請求項２】
前記第１の制御チャネル制限もしくは前記第２の制御チャネル制限、またはその両方は、限られた数のアグリゲーションレベル、限られた組の制御情報フォーマット、チャネル状態情報（ＣＳＩ）制限、制御領域制限、ダウンリンク（ＤＬ）送信モード制限もしくはアップリンク（ＵＬ）送信モード制限、またはそれらの任意の組合せをさらに備える、
請求項１に記載の方法。
【請求項３】
前記第１の組の１つまたは複数のＣＣの前記制御チャネルをモニタすることは、前記第１の組のうちの前記複数のＣＣについての第１の数の制御メッセージ候補をブラインド復号することを備え、
前記第２の組の１つまたは複数のＣＣの前記制御チャネルをモニタすることは、前記第２の組のうちの前記複数のＣＣについての第２の数の制御メッセージ候補をブラインド復号することを備え、前記第２の数は、前記第１および第２の制御チャネル制限に少なくとも部分的に基づく、前記第１の数未満である、
請求項１に記載の方法。
【請求項４】
前記第１の組の１つまたは複数のＣＣは、物理ダウンリンク制御チャネル（ＰＤＣＣＨ）構成に関連付けられ、前記第２の組の１つまたは複数のＣＣは、ＰＤＣＣＨ構成または拡張物理ダウンリンク制御チャネル（ｅＰＤＣＣＨ）構成のうちの一方に関連付けられる、
請求項１に記載の方法。
【請求項５】
前記第１の組の１つまたは複数のＣＣおよび前記第２の組の１つまたは複数のＣＣは各々、ｅＰＤＣＣＨ  ＣＣの数の制限に少なくとも部分的に基づいてグループ化される、
請求項４に記載の方法。
【請求項６】
前記第１の組の１つまたは複数のＣＣの前記制御チャネルをモニタすることに少なくとも部分的に基づいて、制御メッセージを復号することをさらに備え、前記第２の制御チャネル制限は、前記制御メッセージに少なくとも部分的に基づく、
請求項４に記載の方法。
【請求項７】
前記第２の組の１つまたは複数のＣＣの前記制御チャネルをモニタする前に、制御メッセージを復号することをさらに備え、前記第２の制御チャネル制限は、前記制御メッセージに少なくとも部分的に基づく、
請求項４に記載の方法。
【請求項８】
前記第２の制御チャネル制限は、５つより多くのＣＣを備える前記ＣＡ構成に少なくとも部分的に基づく、
請求項１に記載の方法。
【請求項９】
前記ＣＡ構成の、第１の組の１つまたは複数のＣＣ、または第２の組の１つまたは複数のＣＣに関連付けられた複数の制御メッセージを受信することと、
前記複数の制御メッセージからダウンリンク制御情報（ＤＣＩ）を復号すること、ここにおいて、前記ＤＣＩは、物理アップリンク制御チャネル（ＰＵＣＣＨ）フォーマットインジケーションを備える、と、
前記ＰＵＣＣＨフォーマットインジケーションに従って、前記第１の組の１つまたは複数のＣＣまたは第２の組の１つ複数のＣＣのうちの前記複数のＣＣのうちの少なくとも１つに対応する制御メッセージを送信することと
をさらに備える、請求項１に記載の方法。
【請求項１０】
前記ＰＵＣＣＨフォーマットインジケーションは、５つより多くのＣＣを備える前記ＣＡ構成に少なくとも部分的に基づく、
請求項９に記載の方法。
【請求項１１】
ワイヤレス通信の方法であって、
複数のコンポーネントキャリア（ＣＣ）を備えるキャリアアグリゲーション（ＣＡ）構成でワイヤレスデバイスを構成すること、前記ＣＡ構成は、複数のＣＣを、第１の制御チャネル制限に関連付けられた第１の組の１つまたは複数のＣＣと、前記第１の制御チャネル制限とは異なる第２の制御チャネル制限に関連付けられた第２の組の１つまたは複数のＣＣとにグループ化し、前記第１の制御チャネル制限もしくは前記第２の制御チャネル制限、またはその両方は、復号候補制限を備える、と、
前記第１の制御チャネル制限に従って前記第１の組の１つまたは複数のＣＣの制御チャネルを送信することと、
前記第２の制御チャネル制限に従って前記第２の組の１つまたは複数のＣＣの制御チャネルを送信することと
を備え、前記第１の制御チャネル制限もしくは前記第２の制御チャネル制限のうちの少なくとも１つは、制限されたデータ割振りを備え、
前記第１の組の１つまたは複数のＣＣの前記制御チャネルまたは前記第２の組の１つまたは複数のＣＣの前記制御チャネルを送信することは、前記制限されたデータ割振りに関連付けられた仮想ＣＲＣに少なくとも部分的に基づく制御チャネルメッセージをコーディングすることを備える、方法。
【請求項１２】
前記第１の制御チャネル制限もしくは前記第２の制御チャネル制限、またはその両方は、限られた数のアグリゲーションレベル、限られた組の制御情報フォーマット、ＣＳＩ制限、制御領域制限、ＤＬ送信モード制限もしくはアップリンク（ＵＬ）送信モード制限、またはそれらの任意の組合せを備える、
請求項１１に記載の方法。
【請求項１３】
前記第１の組の１つまたは複数のＣＣは、ＰＤＣＣＨ構成に関連付けられ、前記第２の組の１つまたは複数のＣＣは、ＰＤＣＣＨ構成またはｅＰＤＣＣＨ構成のうちの一方に関連付けられる、
請求項１１に記載の方法。
【請求項１４】
ワイヤレス通信のための装置であって、
複数のコンポーネントキャリア（ＣＣ）を備えるキャリアアグリゲーション（ＣＡ）構成を受信するための手段、前記ＣＡ構成は、前記複数のＣＣを、第１の制御チャネル制限に関連付けられた第１の組の１つまたは複数のＣＣと、前記第１の制御チャネル制限とは異なる第２の制御チャネル制限に関連付けられた第２の組の１つまたは複数のＣＣとにグループ化し、前記第１の制御チャネル制限もしくは前記第２の制御チャネル制限、またはその両方は、復号候補制限を備える、と、
前記第１の制御チャネル制限に従って前記第１の組の１つまたは複数のＣＣの制御チャネルをモニタするための手段と、
前記第２の制御チャネル制限に従って前記第２の組の１つまたは複数のＣＣの制御チャネルをモニタするための手段と
を備え、前記第１の制御チャネル制限もしくは前記第２の制御チャネル制限のうちの少なくとも１つは、制限されたデータ割振りを備え、
前記第１の組の１つまたは複数のＣＣの前記制御チャネルまたは前記第２の組の１つまたは複数のＣＣの前記制御チャネルをモニタするための手段は、前記制限されたデータ割振りに関連付けられた仮想ＣＲＣに少なくとも部分的に基づいて制御チャネルメッセージを復号するための手段を備える、装置。
【請求項１５】
ワイヤレス通信のための装置であって、
複数のコンポーネントキャリア（ＣＣ）を備えるＣＡ構成でワイヤレスデバイスを構成するための手段、前記ＣＡ構成は、前記複数のＣＣを、第１の制御チャネル制限に関連付けられた第１の組の１つまたは複数のＣＣと、前記第１の制御チャネル制限とは異なる第２の制御チャネル制限に関連付けられた第２の組の１つまたは複数のＣＣとにグループ化し、前記第１の制御チャネル制限もしくは前記第２の制御チャネル制限、またはその両方は、復号候補制限を備える、と、
前記第１の制御チャネル制限に従って前記第１の組の１つまたは複数のＣＣの制御チャネルを送信するための手段と、
前記第２の制御チャネル制限に従って前記第２の組の１つまたは複数のＣＣの制御チャネルを送信するための手段と
を備え、前記第１の制御チャネル制限もしくは前記第２の制御チャネル制限のうちの少なくとも１つは、制限されたデータ割振りを備え、
前記第１の組の１つまたは複数のＣＣの前記制御チャネルまたは前記第２の組の１つまたは複数のＣＣの前記制御チャネルを送信するための手段は、前記制限されたデータ割振りに関連付けられた仮想ＣＲＣに少なくとも部分的に基づいて制御チャネルメッセージをコーディングするための手段を備える、装置。